(57)【要約】【課題】従来よりも薄型化が可能なバックライト用光源ユニット及びバックライト装置を提供する。【解決手段】光源ユニット１は、領域Ｓ１〜Ｓ４、折曲げ領域６，７を有するフレキシブル基材３と、フレキシブル基材３上の領域Ｓ２に形成された第１配線パターン群１１〜１９と、フレキシブル基材３上に、領域Ｓ２〜Ｓ４及び折曲げ領域６に亘って形成された第２配線パターン群１０，２０と、フレキシブル基材３上の領域Ｓ２〜Ｓ４、及び折曲げ領域６の第２配線パターン群が形成されている領域に亘り、第１及び第２配線パターン群を覆うように形成され、領域Ｓ２，Ｓ４に第１及び第２配線パターン群を露出させる開口部を有する保護層４と、領域Ｓ２の保護層上４に形成され、上記開口部に対応する開口部を有する光反射層５と、領域Ｓ２の第１及び第２配線パターン群に接続する複数の光源部９０〜１０９と、を備える。【選択図】図２
2011258374.tif 000002
【特許請求の範囲】
【請求項１】
第１の所定領域、前記第１の所定領域に隣接する第１の折り曲げ領域、前記第１の折り曲げ領域に隣接する第２の所定領域、前記第２の所定領域に隣接する第２の折り曲げ領域、前記第２の折り曲げ領域に隣接する第３の所定領域、及び前記第３の所定領域に隣接する第４の所定領域を有するフレキシブル基材と、
前記フレキシブル基材上の前記第２の所定領域に形成された第１の配線パターン群と、
前記フレキシブル基材上に、前記第２の所定領域、前記第２の折り曲げ領域、前記第３の所定領域、及び前記第４の所定領域に亘って形成された第２の配線パターン群と、
前記フレキシブル基材上の前記第２の所定領域、前記第２の折り曲げ領域における前記第２の配線パターン群が形成されている領域及びその近傍の領域、前記第３の所定領域、並びに前記第４の所定領域に亘り、前記第１の配線パターン群及び前記第２の配線パターン群を覆うように形成されると共に、前記第２の所定領域及び前記第４の所定領域に前記第１の配線パターン群及び前記第２の配線パターン群をそれぞれ露出させる第１の複数の開口部を有する保護層と、
前記第２の所定領域における前記保護層上に形成され、前記第１の複数の開口部にそれぞれ対応して形成された第２の複数の開口部を有する光反射層と、
前記第２の所定領域において前記第１の複数の開口部及び前記第２の複数の開口部を介して前記第１の配線パターン群及び前記第２の配線パターン群に接続する複数の光源部と、
を備えていることを特徴とするバックライト用光源ユニット。
【請求項２】
前記光反射層は前記保護層よりも高い光反射率を有し、前記保護層は前記光反射層よりも高い可とう性を有することを特徴とする請求項１記載のバックライト用光源ユニット。
【請求項３】
外形がＪ字形状又はＵ字形状を有していることを特徴とする請求項１又は２記載のバックライト用光源ユニット。
【請求項４】
底面部、及び前記底面部から立設する枠部を備えた筐体部と、
前記筐体部に固定された請求項１〜３のいずれか１項に記載のバックライト用光源ユニットと、
前記筐体部に固定され、前記バックライト用光源ユニットに電力を供給する電源部と、
を備え、
前記枠部は、
前記底面部に隣接する第１の面部と、
前記第１の面部に隣接する第２の面部と、
を備え、
前記バックライト用光源ユニットは、前記第１の所定領域が前記第２の面部に固定され、前記第１の折り曲げ領域及び前記第２の折り曲げ領域でそれぞれ折り曲げられ、前記第２の所定領域が前記第１の面部に固定され、前記第３の所定領域が前記底面部側に配置され、前記第１の配線パターン群が前記第４の所定領域における前記第１の複数の開口部及び前記第２の複数の開口部を介して前記電源部に接続していることを特徴とするバックライト装置。
【請求項５】
前記底面部上に、
前記複数の光源部から出射された光を反射するリフレクタと、
前記リフレクタで反射された光を所定の方向に向けて出射する導光板と、
前記導光板から出射された光の面内輝度分布を均一にする拡散板と、
をさらに備えていることを特徴とする請求項４記載のバックライト装置。
【発明の詳細な説明】
【技術分野】
【０００１】
本発明は、液晶表示装置等の表示装置に用いられるバックライト用光源ユニット及びバックライト装置に関する。
【背景技術】
【０００２】
一般的に液晶表示装置等の表示装置にはバックライト装置が用いられている。
バックライト装置は、一般的に、導光板の側面に配された光源｛例えばＬＥＤ（Light Emitting Diode）｝から出射された光を導光し、面状発光させるエッジライト（サイドライト）型と、液晶表示パネルの直下に所定の間隔で配置された複数の光源（例えばＬＥＤ）から出射された光を面状に発光させる直下型と、がある。
近年、バックライト装置に対して薄型化が強く求められており、エッジライト型は直下型に対して薄型化に有利であり、着目されている。
エッジライト型のバックライト装置の一例が特許文献１に開示されている。
【先行技術文献】
【特許文献】
【０００３】
【特許文献１】特開平９−１１５３２３号公報
【発明の概要】
【発明が解決しようとする課題】
【０００４】
上述したように、エッジライト型のバックライト装置は、直下型のバックライト装置に対して薄型化に有利であるものの、特許文献１に開示されているようなエッジライト型のバックライト装置では、複数のＬＥＤ光源を接続する配線部も筐体の内側面（導光板の側面）に配置されているため、薄型化に限界がある。
【０００５】
そこで、本発明は、従来よりも薄型化が可能なバックライト用光源ユニット及びバックライト装置を提供することを目的とする。
【課題を解決するための手段】
【０００６】
上記の課題を解決するために、本発明は次のバックライト用光源ユニット及びバックライト装置を提供する。
１）第１の所定領域（Ｓ１）、前記第１の所定領域に隣接する第１の折り曲げ領域（７）、前記第１の折り曲げ領域に隣接する第２の所定領域（Ｓ２）、前記第２の所定領域に隣接する第２の折り曲げ領域（６）、前記第２の折り曲げ領域に隣接する第３の所定領域（Ｓ３）、及び前記第３の所定領域に隣接する第４の所定領域（Ｓ４）を有するフレキシブル基材（３）と、前記フレキシブル基材上の前記第２の所定領域に形成された第１の配線パターン群（１１〜１９，２２〜３０）と、前記フレキシブル基材上に、前記第２の所定領域、前記第２の折り曲げ領域、前記第３の所定領域、及び前記第４の所定領域に亘って形成された第２の配線パターン群（１０，２０，２１，３１）と、前記フレキシブル基材上の前記第２の所定領域、前記第２の折り曲げ領域における前記第２の配線パターン群が形成されている領域及びその近傍の領域、前記第３の所定領域、並びに前記第４の所定領域に亘り、前記第１の配線パターン群及び前記第２の配線パターン群を覆うように形成されると共に、前記第２の所定領域及び前記第４の所定領域に前記第１の配線パターン群及び前記第２の配線パターン群をそれぞれ露出させる第１の複数の開口部を有する保護層（４）と、前記第２の所定領域における前記保護層上に形成され、前記第１の複数の開口部にそれぞれ対応して形成された第２の複数の開口部を有する光反射層（５）と、前記第２の所定領域において前記第１の複数の開口部及び前記第２の複数の開口部を介して前記第１の配線パターン群及び前記第２の配線パターン群に接続する複数の光源部（９０〜１０９）と、を備えていることを特徴とするバックライト用光源ユニット（１）。
２）前記光反射層は前記保護層よりも高い光反射率を有し、前記保護層は前記光反射層よりも高い可とう性を有することを特徴とする１）記載のバックライト用光源ユニット。
３）外形がＪ字形状又はＵ字形状を有していることを特徴とする１）又は２）記載のバックライト用光源ユニット。
４）底面部（２０１）、及び前記底面部から立設する枠部（２０２）を備えた筐体部（２０３）と、前記筐体部に固定された１）〜３）のいずれかに記載のバックライト用光源ユニット（１）と、前記筐体部に固定され、前記バックライト用光源ユニットに電力を供給する電源部（２０８）と、を備え、前記枠部は、前記底面部に隣接する第１の面部（Ｂ２０２〜Ｄ２０２）と、前記第１の面部に隣接する第２の面部（Ｅ２０２）と、を備え、前記バックライト用光源ユニットは、前記第１の所定領域が前記第２の面部に固定され、前記第１の折り曲げ領域及び前記第２の折り曲げ領域でそれぞれ折り曲げられ、前記第２の所定領域が前記第１の面部に固定され、前記第３の所定領域が前記底面部側に配置され、前記第１の配線パターン群が前記第４の所定領域における前記第１の複数の開口部及び前記第２の複数の開口部を介して前記電源部に接続していることを特徴とするバックライト装置（２００）。
５）前記底面部上に、前記複数の光源部から出射された光を反射するリフレクタ（２０９）と、前記リフレクタで反射された光を所定の方向に向けて出射する導光板（２１０）と、前記導光板から出射された光の面内輝度分布を均一にする拡散板（２１１）と、をさらに備えていることを特徴とする４）記載のバックライト装置。
【発明の効果】
【０００７】
本発明によれば、バックライト装置を従来よりも薄型化できるという効果を奏する。
【図面の簡単な説明】
【０００８】
【図１】本発明のバックライト用光源ユニットの実施例におけるフレキシブル配線基板を説明するための模式図である。
【図２】本発明のバックライト用光源ユニットの実施例を説明するための模式図である。
【図３】本発明のバックライト用光源ユニットの製造方法の実施例を説明するための模式図である。
【図４】本発明のバックライト用光源ユニットの製造方法の実施例を説明するための模式図である。
【図５】実施例のバックライト用光源ユニットにおいてＬＥＤ光源実装領域を保護層と光反射層の２層構造とした理由を説明するための模式図である。
【図６】実施例のバックライト用光源ユニットにおいてＬＥＤ光源実装領域を保護層と光反射層の２層構造とした理由を説明するための模式図である。
【図７】本発明のバックライト装置の実施例を説明するための模式図である。
【図８】大判のフレキシブル基材にバックライト用光源ユニット（フレキシブル配線基板）を複数配置した状態を示す模式的平面図である。
【図９】バックライト用光源ユニットのフレキシブル配線基板の変形例を説明するための模式的断面図である。
【図１０】バックライト用光源ユニットのフレキシブル配線基板の変形例を説明するための模式的断面図である。
【発明を実施するための形態】
【０００９】
本発明の実施の形態を、好ましい実施例により図１〜図１０を用いて説明する。
【００１０】
＜実施例＞
まず、バックライト用光源ユニット１について、図１及び図２を用いて説明する。
【００１１】
図１は実施例のバックライト用光源ユニット１のフレキシブル配線基板２を説明するための図である。図１（ａ）はフレキシブル配線基板２の外観を示す模式的平面図である。図１（ｂ）は図１（ａ）の破線で囲った領域Ａ１を拡大した拡大平面図である。図１（ｃ）は図１（ｂ）のＢ１−Ｂ２線における模式的断面図である。図１（ｄ）は図１（ｂ）のＣ１−Ｃ２線における模式的断面図である。図１（ｅ）は図１（ｂ）のＤ１−Ｄ２線における模式的断面図である。
【００１２】
図２は図１のフレキシブル配線基板２に複数のＬＥＤ光源９０〜１０９が実装されたバックライト用光源ユニット１を説明するための図である。図２（ａ）〜図２（ｅ）は図１（ａ）〜図１（ｅ）にそれぞれ対応するものである。
【００１３】
図１に示すように、フレキシブル配線基板２は、例えばポリイミドを主成分とするフレキシブル基材３と、フレキシブル基材３上に形成され、例えば銅を主成分とする配線パターン１０〜３１と、これら配線パターン１０〜３１を覆い、可とう性及び絶縁性を有する保護層４と、保護層４上に形成された光反射性，可とう性，及び絶縁性を有する光反射層５と、を有して構成されている。
【００１４】
また、フレキシブル配線基板２は、安全上絶縁領域（第１の所定領域）Ｓ１と、安全上絶縁領域Ｓ１に隣接する折り曲げ部（第１の折り曲げ領域）７と、折り曲げ部７に隣接するＬＥＤ光源実装領域（第２の所定領域）Ｓ２と、ＬＥＤ光源実装領域Ｓ２に隣接する折り曲げ部（第２の折り曲げ領域）６と、折り曲げ部６に隣接する配線引き回し領域（第３の所定領域）Ｓ３と、配線引き回し領域Ｓ３に隣接する配線引き回し領域（第４の所定領域）Ｓ４と、を含む“Ｊ”字形状又は“Ｕ”字形状を有している。
【００１５】
配線パターン１０，２０，２１，３１は、ＬＥＤ光源実装領域Ｓ２、折り曲げ部６，配線引き回し領域Ｓ３，及び配線引き回し領域Ｓ４に亘って形成されている。
【００１６】
配線パターン１１〜１９，２２〜３０は、ＬＥＤ光源実装領域Ｓ２に形成されている。
【００１７】
保護層４は、ＬＥＤ光源実装領域Ｓ２，配線引き回し領域Ｓ３，配線引き回し領域Ｓ４，及び安全上絶縁領域Ｓ５に形成されている。
また、保護層４は、折り曲げ部６では配線パターン１０，２０，２１，３１をそれぞれ覆うように、配線パターン１０，２０，２１，３１及びその近傍の領域のみにそれぞれ形成されている。
【００１８】
光反射層５は、ＬＥＤ光源実装領域Ｓ２，及び配線引き回し領域Ｓ３に形成されている。
【００１９】
実施例では、フレキシブル基材３の厚さを１２．５μｍとした。
また、実施例では、配線パターン１０〜３１の厚さをそれぞれ３５μｍとした。
また、実施例では、保護層４を、配線パターン１０〜３１上の厚さがそれぞれ１０μｍ以上になるように形成した。
また、実施例では、光反射層５の厚さを１０μｍとした。
【００２０】
なお、保護層４及び光反射層５の構成材料や材料特性については後述する。
【００２１】
また、保護層４及び光反射層５は、配線パターン１０〜３１を露出させる複数の開口部を有している。
【００２２】
上記開口部により配線パターン１０の一端側が露出した領域がランド４０であり、他端側が露出した領域がランド８０である。
上記開口部により配線パターン１１の一端側が露出した領域がランド４１であり、他端側が露出した領域がランド４２である。
上記開口部により配線パターン１２の一端側が露出した領域がランド４３であり、他端側が露出した領域がランド４４である。
上記開口部により配線パターン１３の一端側が露出した領域がランド４５であり、他端側が露出した領域がランド４６である。
上記開口部により配線パターン１４の一端側が露出した領域がランド４７であり、他端側が露出した領域がランド４８である。
上記開口部により配線パターン１５の一端側が露出した領域がランド４９であり、他端側が露出した領域がランド５０である。
上記開口部により配線パターン１６の一端側が露出した領域がランド５１であり、他端側が露出した領域がランド５２である。
上記開口部により配線パターン１７の一端側が露出した領域がランド５３であり、他端側が露出した領域がランド５４である。
上記開口部により配線パターン１８の一端側が露出した領域がランド５５であり、他端側が露出した領域がランド５６である。
上記開口部により配線パターン１９の一端側が露出した領域がランド５７であり、他端側が露出した領域がランド５８である。
上記開口部により配線パターン２０の一端側が露出した領域がランド５９であり、他端側が露出した領域がランド８１である。
上記開口部により配線パターン２１の一端側が露出した領域がランド６０であり、他端側が露出した領域がランド８２である。
上記開口部により配線パターン２２の一端側が露出した領域がランド６１であり、他端側が露出した領域がランド６２である。
上記開口部により配線パターン２３の一端側が露出した領域がランド６３であり、他端側が露出した領域がランド６４である。
上記開口部により配線パターン２４の一端側が露出した領域がランド６５であり、他端側が露出した領域がランド６６である。
上記開口部により配線パターン２５の一端側が露出した領域がランド６７であり、他端側が露出した領域がランド６８である。
上記開口部により配線パターン２６の一端側が露出した領域がランド６９であり、他端側が露出した領域がランド７０である。
上記開口部により配線パターン２７の一端側が露出した領域がランド７１であり、他端側が露出した領域がランド７２である。
上記開口部により配線パターン２８の一端側が露出した領域がランド７３であり、他端側が露出した領域がランド７４である。
上記開口部により配線パターン２９の一端側が露出した領域がランド７５であり、他端側が露出した領域がランド７６である。
上記開口部により配線パターン３０の一端側が露出した領域がランド７７であり、他端側が露出した領域がランド７８である。
上記開口部により配線パターン３１の一端側が露出した領域がランド７９であり、他端側が露出した領域がランド８３である。
【００２３】
ランド４０〜７９は、ＬＥＤ光源実装領域Ｓ２に形成されている。
【００２４】
ランド８０〜８３は、外部から電力を供給するための接続端子であり、配線引き回し領域Ｓ４に形成されている。
【００２５】
安全上絶縁領域Ｓ１は、高電流が流れるＬＥＤ光源実装領域Ｓ２の配線パターン１０〜３１からフレキシブル配線基板２の端部までの距離を、安全規格上、１ｍｍ以上にするための絶縁領域である。
また、安全上絶縁領域Ｓ１には、後述する筐体部２０３にバックライト用光源ユニット１を位置決めするための複数の位置決め孔８が形成されている。
【００２６】
図２に示すように、バックライト用光源ユニット１は、上述したフレキシブル配線基板２に複数のＬＥＤ（Light Emitting Diode）光源９０〜１０９が実装されたものである。
【００２７】
ＬＥＤ光源９０は、一方の端子が配線パターン１０のランド４０に、他方の端子が配線パターン１１のランド４１にそれぞれ半田９を介して電気的に接続されている。
ＬＥＤ光源９１は、一方の端子が配線パターン１１のランド４２に、他方の端子が配線パターン１２のランド４３にそれぞれ半田９を介して電気的に接続されている。
ＬＥＤ光源９２は、一方の端子が配線パターン１２のランド４４に、他方の端子が配線パターン１３のランド４５にそれぞれ半田９を介して電気的に接続されている。
ＬＥＤ光源９３は、一方の端子が配線パターン１３のランド４６に、他方の端子が配線パターン１４のランド４７にそれぞれ半田９を介して電気的に接続されている。
ＬＥＤ光源９４は、一方の端子が配線パターン１４のランド４８に、他方の端子が配線パターン１５のランド４９にそれぞれ半田９を介して電気的に接続されている。
ＬＥＤ光源９５は、一方の端子が配線パターン１５のランド５０に、他方の端子が配線パターン１６のランド５１にそれぞれ半田９を介して電気的に接続されている。
ＬＥＤ光源９６は、一方の端子が配線パターン１６のランド５２に、他方の端子が配線パターン１７のランド５３にそれぞれ半田９を介して電気的に接続されている。
ＬＥＤ光源９７は、一方の端子が配線パターン１７のランド５４に、他方の端子が配線パターン１８のランド５５にそれぞれ半田９を介して電気的に接続されている。
ＬＥＤ光源９８は、一方の端子が配線パターン１８のランド５６に、他方の端子が配線パターン１９のランド５７にそれぞれ半田９を介して電気的に接続されている。
ＬＥＤ光源９９は、一方の端子が配線パターン１９のランド５８に、他方の端子が配線パターン２０のランド５９にそれぞれ半田９を介して電気的に接続されている。
【００２８】
即ち、ＬＥＤ光源９０〜９９は、配線パターン１０〜２０を介して直列に接続されており、外部の電源から接続端子（ランド）８０，８１間に電力を供給することにより、これらＬＥＤ光源９０〜９９からバックライト用の光がそれぞれ出射される。
【００２９】
ＬＥＤ光源１００は、一方の端子が配線パターン２１のランド６０に、他方の端子が配線パターン２２のランド６１にそれぞれ半田９を介して電気的に接続されている。
ＬＥＤ光源１０１は、一方の端子が配線パターン２２のランド６２に、他方の端子が配線パターン２３のランド６３にそれぞれ半田９を介して電気的に接続されている。
ＬＥＤ光源１０２は、一方の端子が配線パターン２３のランド６４に、他方の端子が配線パターン２４のランド６５にそれぞれ半田９を介して電気的に接続されている。
ＬＥＤ光源１０３は、一方の端子が配線パターン２４のランド６６に、他方の端子が配線パターン２５のランド６７にそれぞれ半田９を介して電気的に接続されている。
ＬＥＤ光源１０４は、一方の端子が配線パターン２５のランド６８に、他方の端子が配線パターン２６のランド６９にそれぞれ半田９を介して電気的に接続されている。
ＬＥＤ光源１０５は、一方の端子が配線パターン２６のランド７０に、他方の端子が配線パターン２７のランド７１にそれぞれ半田９を介して電気的に接続されている。
ＬＥＤ光源１０６は、一方の端子が配線パターン２７のランド７２に、他方の端子が配線パターン２８のランド７３にそれぞれ半田９を介して電気的に接続されている。
ＬＥＤ光源１０７は、一方の端子が配線パターン２８のランド７４に、他方の端子が配線パターン２９のランド７５にそれぞれ半田９を介して電気的に接続されている。
ＬＥＤ光源１０８は、一方の端子が配線パターン２９のランド７６に、他方の端子が配線パターン３０のランド７７にそれぞれ半田９を介して電気的に接続されている。
ＬＥＤ光源１０９は、一方の端子が配線パターン３０のランド７８に、他方の端子が配線パターン３１のランド７９にそれぞれ半田９を介して電気的に接続されている。
【００３０】
即ち、ＬＥＤ光源１００〜１０９は、配線パターン２１〜３１を介して直列に接続されており、外部の電源から接続端子（ランド）８２，８３間に電力を供給することにより、これらＬＥＤ光源１００〜１０９からバックライト用の光が出射される。
【００３１】
即ち、バックライト用光源ユニット１は、ＬＥＤ光源９０〜９９が直列接続された光源ブロックと、ＬＥＤ光源１００〜１０９が直列接続された光源ブロックと、を有している。
【００３２】
ここで、保護層４及び光反射層５の構成材料や材料特性について説明する。
【００３３】
保護層４及び光反射層５は共に可とう性及び絶縁性を有するが、保護層４は、主として可とう性及び絶縁性に優れた光感光性のソルダーレジストで形成されている。一方、光反射層５は、主として光反射性に優れた光感光性のソルダーレジストで形成されている。
実施例では、保護層４及び光反射層５のソルダーレジストとして、可とう性及び絶縁性に優れた光感光性のベース樹脂を共通にし、このベース樹脂に混合する光反射性に優れたフィラーの含有率を変えたものを用いた。
即ち、光反射層５は、保護層４に対して、光反射性に優れたフィラーの含有率が大きいので、光反射性に優れるものの、ベース樹脂の比率が小さいため特に可とう性では劣る。
【００３４】
例えば、保護層４は、ヤング率が１５００ＭＰａであり、絶縁シート抵抗が１．０×１０９Ω／□（ohm/square）であり、光反射率が最大で７０％である。一方、光反射層５は、ヤング率が１００００ＭＰａであり、絶縁シート抵抗が１．０×１０７Ω／□であり、光反射率が９３％である。
なお、フレキシブル基材３は、ヤング率が３５０ＭＰａであり、絶縁シート抵抗が１．０×１０１６Ω／□であり、光反射率が１８％である。
即ち、フレキシブル基材３は、光反射率では光反射層５に大きく劣るものの、ヤング率が光反射層５よりも小さい保護層４よりもさらに小さく、可とう性に優れている。
なお、ここでいう光反射率とは、膜厚が１０μｍ以上のときの可視光（波長が３８０ｎｍ〜７５０ｎｍの範囲の光）に対する反射率である。また、以下に示す光反射率もこれと同様である。
【００３５】
次に、上述したバックライト用光源ユニット１の製造方法について図１，図２と共に図３，図４を用いて説明する。
図３（ａ）〜図３（ｅ）は、図１（ａ）〜図１（ｅ）及び図２（ａ）〜図２（ｅ）にそれぞれ対応するものである。
図４（ａ）〜図４（ｅ）は、図１（ａ）〜図１（ｅ），図２（ａ）〜図２（ｅ），及び図３（ａ）〜図３（ｅ）にそれぞれ対応するものである。
【００３６】
まず、図３に示すように、一面側に銅箔が貼り合わされたフレキシブル基材３に対し、フォトリソグラフィ法を用いて銅箔を部分的にエッチングすることにより、フレキシブル基材３上に配線パターン１０〜３１を形成する。
【００３７】
次に、図４に示すように、フレキシブル基材３上に、配線パターン１０〜３１を覆うように、主として可とう性及び絶縁性に優れた光感光性のソルダーレジストを塗布し、さらに乾燥（仮硬化）させた後に、フォトリソグラフィ法を用いてソルダーレジストを部分的に露光及び現像することにより、配線パターン１０〜３１を露出させる開口部４０ａ〜８３ａと、フレキシブル基材３を露出させる溝状開口部６ａ，７ａを有する保護層４を形成する。開口部４０ａ〜８３ａは前述したランド４０〜８３にそれぞれ対応するものである。溝状開口部６ａ，７ａは折り曲げ部６，７にそれぞれ対応するものである。
【００３８】
さらに、図１に示すように、保護層４上に、主として光反射性に優れた光感光性のソルダーレジストを塗布して乾燥（仮硬化）させた後に、フォトリソグラフィ法を用いてソルダーレジストを部分的に露光及び現像することにより、上記開口部４０ａ〜８３ａにそれぞれ対応する開口部と、溝状開口部６ａ，７ａにそれぞれ対応する溝状開口部とを有する光反射層５を形成する。保護層４及び光反射層５の開口部がランド４０〜８３となる。また、保護層４及び光反射層５の溝状開口部が折り曲げ部６，７となる。
なお、この段階では、フレキシブル基材３に位置決め孔８は形成されていない。
【００３９】
次に、ＬＥＤ光源９０〜１０９をランド４０〜７９にそれぞれ対応付けて半田９で接続する。
その後、上記工程を経たフレキシブル基材３に位置決め孔８を形成し、所定の形状（例えば“Ｊ”字形状又は“Ｕ”字形状）に切断することにより、上述したバックライト用光源ユニット１が得られる。
【００４０】
ここで、ＬＥＤ光源実装領域Ｓ２及び配線引き回し領域Ｓ３を、保護層４と光反射層５との積層構造とした理由について、図５及び図６を用いて説明する。図５（ｂ）及び（ｃ）は図１（ｃ）及び図２（ｃ）にそれぞれ対応するものであり、図６（ａ）は図１（ｅ）及び図２（ｅ）にそれぞれ対応するものである。
【００４１】
ＬＥＤ光源実装領域Ｓ２及び配線引き回し領域Ｓ３（特にＬＥＤ光源実装領域Ｓ２）は、ＬＥＤ光源９０〜１０９からそれぞれ出射された光の利用効率を高めるため、高い反射率を有することが望ましい。
【００４２】
そこで、図５（ａ）に示すように、保護層４を形成せずに、光反射層５のみで対応しようとすると、高電流が流れるため厚く形成された配線パターン１９〜２２（１０〜１８及び２３〜３１も同様）よりもさらに厚く、光反射層５となるソルダーレジストを形成しなければならない。
【００４３】
しかしながら、光反射層５となるソルダーレジストは光反射性に優れるため、光反射層５にランド５８〜６１（４０〜５７及び６２〜７９も同様）を形成するための開口部を、フォトリソグラフィ法を用いて形成する際、露光光Ｌ１がソルダーレジスト（５）の表面部で反射してしまい、ソルダーレジスト（５）の底部まで届かない。
【００４４】
そのため、図５（ｂ）に示すように、露光光Ｌ１の光量不足により、露光後の現像でアンダーカットが発生し、光反射層５には表層部で狭く、底部で広い、断面が逆テーパ状の開口部が形成される。
【００４５】
図５（ｃ）に示すように、光反射層５の表層部の開口部が狭いとＬＥＤ光源９９，１００（９０〜９８及び１０１〜１０９も同様）と半田９との接着（接触）面積が、図２（ｃ）に比べて小さくなるため、ＬＥＤ光源９９，１００（９０〜９８及び１０１〜１０９も同様）と半田９との接着強度が悪化したり、接触抵抗を増大させる要因となる。
【００４６】
また、このように断面が逆テーパ状の開口部では、光反射層５の表層部における開口エッジ部５ａが欠け易く、欠けた部分がＬＥＤ光源９９，１００（９０〜９８及び１０１〜１０９も同様）の光出射面に付着すると、そのＬＥＤ光源の発光効率を悪化させる要因となる。
【００４７】
また、図６（ａ）に示すように、現像でのアンダーカットは、折り曲げ部６，７にも同様に発生するため、例えばＬＥＤ光源実装領域Ｓ２の光反射層５と配線引き回し領域Ｓ３の光反射層５とが接近するように、折り曲げ部６で折り曲げた（谷折り）際に、光反射層５のエッジ部５ｂ同士が接触しやすくなるため、ＬＥＤ光源実装領域Ｓ２と配線引き回し領域Ｓ３とを所望の角度で折り曲げることができない場合がある。
【００４８】
そこで、実施例では、高い反射率が求められるＬＥＤ光源実装領域Ｓ２及び配線引き回し領域Ｓ３では、高電流が流れるため厚く形成された配線パターン１０〜３１よりもさらに厚く、主として可とう性及び絶縁性に優れた光感光性のソルダーレジストを塗布して保護層４を形成した。保護層４となるソルダーレジストは光反射層５となるソルダーレジストに比べて光反射率が小さいので、図６（ｂ）に示すように、露光光Ｌ１はソルダーレジスト（４）の底部まで容易に到達する。
【００４９】
そのため、図６（ｃ）に示すように、保護層４に表層部と底部とがほぼ同じ面積を有する開口部を形成することができる。
【００５０】
保護層４上に形成される光反射層５は、所望の光反射率が得られる範囲内でできるだけ薄く形成することが望ましい。
上述した２層構造により、光反射層５の厚さを所望の光反射率が得られる範囲内で薄くすることができるので、光反射性に優れた光感光性のソルダーレジストを用いても前述した現像のアンダーカットを低減することができる。
【００５１】
次に、配線引き回し領域Ｓ４を、光反射層５を形成せずに、保護層４のみの単層構造とした理由について説明する。
【００５２】
バックライト用光源ユニット１を後述する筐体部２０３に固定した際、配線引き回し領域Ｓ４の自由端となる領域に形成された接続端子（ランド）８０〜８３を、後述するバックライト装置２００の電源基板部２０８のコネクタ２１６に接続する際、フレキシブル配線基板２をこの配線引き回し領域Ｓ４で湾曲させたり折り曲げたりするため、高い可とう性を有することが望ましい。
そこで、実施例では、配線引き回し領域Ｓ４を、配線パターン１０，２０，２１，３１を保護すると共に、湾曲や折り曲げを容易にできる保護層４のみの単層構造とした。
【００５３】
なお、折り曲げ部６を、配線パターン１０，２０，２１，３１及びその近傍の領域のみを保護層４のみの単層構造とし、それ以外の領域を保護層４及び光反射層５のいずれも有しないフレキシブル基材３のみの構造とした理由については後述する。
【００５４】
次に、上述したバックライト用光源ユニット１を用いたバックライト装置２００について図７を用いて説明する。
【００５５】
図７（ａ）は液晶表示パネル側から見たときのバックライト装置２００の平面図である。なお、図７（ａ）では説明をわかりやすくするためにリフレクタ（反射板又は反射シート）、導光板、光学機能シート、及び拡散板を省略して示している。
図７（ｂ）は側面から見たときのバックライト装置２００の断面分解図である。なお、図７（ｂ）では説明をわかりやすくするために電源基板部を省略して示している。
図７（ｃ）はバックライト用光源ユニットが筐体部に固定された状態を示す模式的断面図である。
【００５６】
図７に示すように、バックライト装置２００は、底面部２０１及び底面部２０１の外周部から後述する拡散板２１１側に向かって立設する枠部２０２を有する筐体部２０３と、筐体部２０３に固定された、例えば４つのバックライト用光源ユニット２０４〜２０７と、筐体部２０３に固定され、４つのバックライト用光源ユニット２０４〜２０７にそれぞれ所定の電力を供給する電源基板部２０８と、バックライト用光源ユニット２０４〜２０７よりも下側であって、かつ電源基板部２０８上に配置され、バックライト用光源ユニット２０４〜２０７から出射された光を反射するリフレクタ（例えば反射板又は反射シート）２０９と、リフレクタ２０９上であって、側面がＬＥＤ光源９０〜１０９と対向するように配置され、バックライト用光源ユニット２０４〜２０７から出射された光、及び反射シート２０９で反射した光を入射して後述する拡散板２１１に向けて出射する導光板２１０と、導光板２１０上に配置され、導光板２１０から出射された光の照度分布を均一化する拡散板２１１と、を備えている。
なお、導光板２１０と拡散板２１１との間に単体又は複数の光学機能シート２１２を配置するようにしてもよい。
【００５７】
枠部２０２は、底面部２０１に略９０°の角度でそれぞれ接する４つの内壁面部Ａ２０２，Ｂ２０２，Ｃ２０２，Ｄ２０２と、底面部２０１と略平行で、かつ４つの内壁面部Ａ２０２〜Ｄ２０２にそれぞれ略９０°の角度で接する上面部Ｅ２０２と、を有している。
【００５８】
バックライト装置２００の上方には光透過型の液晶表示パネル３００が配置されており、バックライト装置２００の拡散板２１１から面内照度分布が均一になるように出射されたバックライト光Ｌ２は液晶表示パネル３００の背面Ａ３００に照射され、液晶表示パネル３００で画素ごとに変調されることにより、液晶表示パネル３００の表示面Ｂ３００に所定の画像が表示される。
【００５９】
バックライト用光源ユニット２０６，２０７として、上述したバックライト用光源ユニット１を用いることができる。
バックライト用光源ユニット２０４，２０５は、バックライト用光源ユニット２０６，２０７に対して左右対称の形状を有している。それ以外の構成はバックライト用光源ユニット２０４，２０５と全て同じであるので、ここでは、説明をわかりやすくするために、バックライト用光源ユニット２０４〜２０７を全て上述したバックライト用光源ユニット１として以下に説明する。
【００６０】
ここで、バックライト用光源ユニット１（２０４〜２０７）の筐体部２０３への固定方法を説明する。
【００６１】
まず、各バックライト用光源ユニット１（２０４〜２０７）の位置決め孔８を、枠部２０２の上面部Ｅ２０２に設けられた位置決めピン２１３にそれぞれ係合させ、各バックライト用光源ユニット１と筐体部２０３との位置決めを行い、次いで各バックライト用光源ユニット１の安全上絶縁領域Ｓ１を枠部２０２の上面部Ｅ２０２に例えば熱伝導材料（ＴＩＭ：Thermal Interface Material）２１４を用いてそれぞれ固定する。
【００６２】
次に、各バックライト用光源ユニット１を折り曲げ部７で山折りにし、折り曲げ部６で谷折りにして、ＬＥＤ光源実装領域Ｓ２を枠部２０２の内壁面Ｂ２０２〜Ｄ２０２に熱伝導材料２１４を用いてそれぞれ固定する。
【００６３】
その後、各バックライト用光源ユニット１を配線引き回し領域Ｓ４で折り曲げて、接続端子（ランド）８０〜８３を電源基板部２０８のコネクタ２１６にそれぞれ接続する。
【００６４】
電源基板部２０８から各バックライト用光源ユニット１に電力を供給することにより、各バックライト用光源ユニット１のＬＥＤ光源９０〜１０９からそれぞれ光が出射される。
【００６５】
ここで、折り曲げ部６を、配線パターン１０，２０，２１，３１及びその近傍の領域のみを保護層４のみの単層構造とし、それ以外の領域を保護層４及び光反射層５のいずれも有しないフレキシブル基材３のみの構造とした理由について説明する。
【００６６】
上述したように、折り曲げ部６では、配線パターン１０，２０，２１，３１が形成されている領域及びその近傍の領域のみに、配線パターン１０，２０，２１，３１を保護する目的で保護層４が形成されている。
折り曲げ部６におけるそれ以外の大部分の領域はフレキシブル基材３のみの構造である。
そのため、図７（ｃ）に示すように、バックライト用光源ユニット１を折り曲げ部６で折り曲げた際の曲率半径Ｒ３をフレキシブル基材３の厚さ（実施例では１２．５μｍ）とほぼ同じにすることができる。
これにより、ＬＥＤ光源９０〜１０９の近傍に折り曲げ部６，７を形成することができるので、枠部２０２の高さＨ２０２、及び導光板２１０の厚さはＬＥＤ光源９０（９１〜１０９）の幅Ｗ９０（Ｗ９１〜Ｗ１０９）分のみを考慮すればよいので、枠部２０２の高さＨ２０２を従来よりも低くすることができ、導光板２１０の厚さを従来よりも薄くすることができる。
従って、バックライト装置２００の薄型化が可能になる。
【００６７】
また、バックライト用光源ユニット１は、ＬＥＤ光源９０〜１０９で発生した熱を薄いフレキシブル基材３を介して筐体部２０３（枠部２０２）に効率的に逃がすことができるので、ＬＥＤ光源９０〜１０９の自己発熱による温度上昇を低減することができるため、発光効率の悪化を抑制できると共に、ＬＥＤ光源９０〜１０９の高寿命化が図れる。
【００６８】
また、バックライト用光源ユニット１（２４０〜２０７）の外形形状を、“Ｊ”字形状又は“Ｕ”字形状としたことにより、図８に示すように、大判のフレキシブル基材４００に、デッドスペースを低減してバックライト用光源ユニット１（フレキシブル配線基板２）を複数効率的に配置することができる。
これにより、単価コストを低減できると共に、生産性を向上させることができる。
【００６９】
本発明の実施例は、上述した構成及び手順に限定されるものではなく、本発明の要旨を逸脱しない範囲において変形例としてもよいのは言うまでもない。
【００７０】
例えば、図１（ｃ）では、保護層４の端面と光反射層５の端面とを一致させて示しているが、これに限定されるものではない。
保護層４に対する光反射層５の露光の位置合わせ誤差を考慮して、例えば、図９に示すように光反射層５の大きさを保護層４よりも若干大きくなるように形成してもよいし、図１０に示すように光反射層５の大きさを保護層４よりも若干小さくなるように形成してもよい。
【００７１】
また、バックライト用光源ユニット及び各構成要素の形状や個数は実施例に限定されるものではなく、設計仕様に合わせて適宜設計されるものである。
【００７２】
また、実施例では、バックライト用光源ユニットを複数のＬＥＤ光源が直列に接続された光源ブロックを２つとしたがこれに限定されるものではなく、直列接続数や光源ブロック数等は設計仕様に合わせて適宜設計されるものである。
【００７３】
また、実施例では、ＬＥＤ光源実装領域Ｓ２及び配線引き回し領域Ｓ３を保護層４と光反射層５との積層構造としたが、リフレクタ（反射板又は反射シート）のみで十分な反射率が得られるようであれば、配線引き回し領域Ｓ３を保護層４のみの単層構造としてもよい。
【符号の説明】
【００７４】
１，２０４〜２０７＿バックライト用光源ユニット、  ２＿フレキシブル配線基板、  ３＿フレキシブル基材、  ４＿保護層、  ５＿光反射層、  ６，７＿折り曲げ部、  ８＿位置決め孔、  ９＿半田、  １０〜３１＿配線パターン、  ４０〜８３＿ランド、  ９０〜１０９＿ＬＥＤ光源、  ２００＿バックライト装置、  ２０１＿底面部、  ２０２＿枠部、  ２０３＿筐体部、  ２０８＿電源基板部、  ２０９＿リフレクタ（反射板又は反射シート）、  ２１０＿導光板、  ２１１＿拡散板、  ２１２＿光学機能シート、  ３００＿液晶表示パネル、  Ａ２０２〜Ｄ２０２＿内壁面部、  Ｅ２０２＿上面部、  Ｓ１＿安全上絶縁領域、  Ｓ２＿ＬＥＤ光源実装領域、  Ｓ３，Ｓ４＿配線引き回し領域、
【図１】
2011258374.tif 000003
【図２】
2011258374.tif 000004
【図３】
2011258374.tif 000005
【図４】
2011258374.tif 000006
【図５】
2011258374.tif 000007
【図６】
2011258374.tif 000008
【図７】
2011258374.tif 000009
【図８】
2011258374.tif 000010
【図９】
2011258374.tif 000011
【図１０】
2011258374.tif 000012